(57)【要約】【課題】低鉄損な巻鉄心を製造する。【解決手段】巻鉄心の材料として使用する、一群の方向性電磁鋼板の選別方法であって、  鉄損が同一、且つ、磁場の強さＨが８００Ａ／ｍの時の磁束密度Ｂ８値が異なる前記一群の方向性電磁鋼板を準備する工程と、  前記一群の方向性電磁鋼板について、エプスタイン試験により前記Ｂ８値を測定する工程と、  前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程と、を有することを特徴とする、方向性電磁鋼板の選別方法。【選択図】図１
2018157142.tif 000002
【特許請求の範囲】
【請求項１】
巻鉄心の材料として使用する、一群の方向性電磁鋼板の選別方法であって、
鉄損が同一、且つ、磁場の強さＨが８００Ａ／ｍの時の磁束密度Ｂ８値が異なる前記一群の方向性電磁鋼板を準備する工程と、
前記一群の方向性電磁鋼板について、エプスタイン試験により前記Ｂ８値を測定する工程と、
前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程と、
を有することを特徴とする、方向性電磁鋼板の選別方法。
【請求項２】
前記一群の方向性電磁鋼板のうち、測定して得た前記一群の方向性電磁鋼板の前記Ｂ８値の範囲の中から設定される所定値未満の前記Ｂ８値を有する方向性電磁鋼板を、前記接合部が２か所未満の巻鉄心の材料として選別する、請求項１に記載の方向性電磁鋼板の選別方法。
【請求項３】
前記巻鉄心は、側面視において略矩形状の巻鉄心本体を備え、
前記巻鉄心本体は、前記方向性電磁鋼板により構成され、長手方向に平面部とコーナー部とが交互に連続し、当該各コーナー部において隣接する２つの平面部のなす角が９０°である前記方向性電磁鋼板が板厚方向に積み重ねられた、側面視において略矩形状の積層構造を有する、請求項１又は２に記載の方向性電磁鋼板の選別方法。
【請求項４】
前記接合部が２か所以上の巻鉄心は、前記各コーナー部が、方向性電磁鋼板の側面視において、曲線状の形状を有する屈曲部を１つ以上有しており、且つ、一つのコーナー部に存在する屈曲部それぞれの曲げ角度の合計が９０°である、請求項３に記載の方向性電磁鋼板の選別方法。
【請求項５】
鉄損が同一、且つ、磁場の強さＨが８００Ａ／ｍの時の磁束密度Ｂ８値が異なる一群の方向性電磁鋼板を準備する工程と、
前記一群の方向性電磁鋼板について、エプスタイン試験により前記Ｂ８値を測定する工程と、
前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程と、
選別した前記方向性電磁鋼板を用いて前記巻鉄心を作成する工程と、
を有することを特徴とする、巻鉄心の製造方法。
【請求項６】
前記一群の方向性電磁鋼板のうち、測定して得た前記一群の方向性電磁鋼板の前記Ｂ８値の範囲の中から設定される所定値未満の前記Ｂ８値を有する方向性電磁鋼板を、前記接合部が２か所未満の巻鉄心の材料として選別する、請求項５に記載の巻鉄心の製造方法。
【請求項７】
前記巻鉄心は、側面視において略矩形状の巻鉄心本体を備え、
前記巻鉄心本体は、前記方向性電磁鋼板により構成され、長手方向に平面部とコーナー部とが交互に連続し、当該各コーナー部において隣接する２つの平面部のなす角が９０°である前記方向性電磁鋼板が板厚方向に積み重ねられた、側面視において略矩形状の積層構造を有する、請求項５又は６に記載の巻鉄心の製造方法。
【請求項８】
前記接合部が２か所以上の巻鉄心は、前記各コーナー部が、方向性電磁鋼板の側面視において、曲線状の形状を有する屈曲部を１つ以上有しており、且つ、一つのコーナー部に存在する屈曲部それぞれの曲げ角度の合計が９０°である、請求項７に記載の巻鉄心の製造方法。
【発明の詳細な説明】
【技術分野】
【０００１】
本開示は、方向性電磁鋼板の選別方法、及び、選別した当該方向性電磁鋼板を用いた巻鉄心の製造方法に関する。
【背景技術】
【０００２】
鉄心は、トランス、リアクトル、ノイズフィルター等の磁心として広く用いられている。高効率化などの点から鉄心で生じる鉄損の低減が重要な課題の一つとなっており、従来、様々な観点から低鉄損化の検討が行われている。
【０００３】
巻鉄心の製造方法のひとつとして、例えば、電磁鋼板を筒状に巻き取った後、コーナー部をプレスし、略矩形に形成した後、焼鈍することにより歪取りと形状保持を行う方法が広く知られている。この製法の場合、巻鉄心の寸法に応じてコーナー部の曲率半径は異なるが、当該曲率半径は概ね４ｍｍ以上の比較的大きい緩やかな曲面となっている。
【０００４】
巻鉄心の別の製造方法として、電磁鋼板の巻鉄心のコーナー部となる部分を予め曲げ加工し、当該曲げ加工された電磁鋼板を重ね合わせることにより、電磁鋼板を積層して巻鉄心とする手法が検討されている。
当該製造方法によれば、上記プレス工程が不要であり、また、電磁鋼板を折り曲げているため形状が保持され、上記焼鈍工程による形状保持が必須の工程とはならないため、製造が容易であるというメリットがある。この製法では、電磁鋼板を曲げ加工するため、当該加工部分には曲率半径が１ｍｍ〜３ｍｍ程度の比較的小さな屈曲部が形成される。
【０００５】
また、通常の巻鉄心は接合部が１か所であるが、接合部を２か所有する巻鉄心も製造されている。接合部が２か所あることにより、接合部が１か所の通常のコアと比較してレイシングの際の時間短縮が可能であり。且つ、歪みが導入されにくいというメリットがある。しかし、接合部が２か所あるため、接合部が１か所の巻鉄心と比較して、鉄損が大きくなる。
【０００６】
曲げ加工を含む製造方法により製造された巻鉄心として、例えば特許文献１には、環状に折曲された長さの異なる複数の磁性鋼板を外周方向に重ね合わせて形成され、各磁性鋼板の対向した端面が、その積層方向にわたって所定寸法ずつ均等にずれ、接合部が階段状になされた巻鉄心の構造が開示されている。
また、特許文献２には、加工部を曲げ加工した巻鉄心を簡易的に製造するための治具とその製造方法が開示されている。
【先行技術文献】
【特許文献】
【０００７】
【特許文献１】実用新案登録第３０８１８６３号公報
【特許文献２】特開２００５−２８６１６９号公報
【発明の概要】
【発明が解決しようとする課題】
【０００８】
本研究者らは、巻鉄心は１周回中の接合部が増えると鉄損が大きくなる場合があるとの知見を得た。
本開示は上記実情に鑑みてなされたものであり、低鉄損な巻鉄心を製造するための方向性電磁鋼板の選別方法、及び、選別した当該方向性電磁鋼板を用いた巻鉄心の製造方法を提供することを目的とする。
【課題を解決するための手段】
【０００９】
本開示の方向性電磁鋼板の選別方法は、
巻鉄心の材料として使用する、一群の方向性電磁鋼板の選別方法であって、
鉄損が同一、且つ、磁場の強さＨが８００Ａ／ｍの時の磁束密度Ｂ８値が異なる前記一群の方向性電磁鋼板を準備する工程と、
前記一群の方向性電磁鋼板について、エプスタイン試験により前記Ｂ８値を測定する工程と、
前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程と、
を有することを特徴とする。
【００１０】
本開示の方向性電磁鋼板の選別方法においては、
前記一群の方向性電磁鋼板のうち、測定して得た前記一群の方向性電磁鋼板の前記Ｂ８値の範囲の中から設定される所定値未満の前記Ｂ８値を有する方向性電磁鋼板を、前記接合部が２か所未満の巻鉄心の材料として選別してもよい。
【００１１】
本開示の方向性電磁鋼板の選別方法においては、
前記巻鉄心は、側面視において略矩形状の巻鉄心本体を備え、
前記巻鉄心本体は、前記方向性電磁鋼板により構成され、長手方向に平面部とコーナー部とが交互に連続し、当該各コーナー部において隣接する２つの平面部のなす角が９０°である前記方向性電磁鋼板が板厚方向に積み重ねられた、側面視において略矩形状の積層構造を有していてもよい。
【００１２】
本開示の方向性電磁鋼板の選別方法においては、
前記接合部が２か所以上の巻鉄心は、前記各コーナー部が、方向性電磁鋼板の側面視において、曲線状の形状を有する屈曲部を１つ以上有しており、且つ、一つのコーナー部に存在する屈曲部それぞれの曲げ角度の合計が９０°であってもよい。
【００１３】
本開示の巻鉄心の製造方法は、
鉄損が同一、且つ、磁場の強さＨが８００Ａ／ｍの時の磁束密度Ｂ８値が異なる一群の方向性電磁鋼板を準備する工程と、
前記一群の方向性電磁鋼板について、エプスタイン試験により前記Ｂ８値を測定する工程と、
前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程と、
選別した前記方向性電磁鋼板を用いて前記巻鉄心を作成する工程と、
を有することを特徴とする。
【００１４】
本開示の巻鉄心の製造方法においては、
前記一群の方向性電磁鋼板のうち、測定して得た前記一群の方向性電磁鋼板の前記Ｂ８値の範囲の中から設定される所定値未満の前記Ｂ８値を有する方向性電磁鋼板を、前記接合部が２か所未満の巻鉄心の材料として選別してもよい。
【００１５】
本開示の巻鉄心の製造方法においては、
前記巻鉄心は、側面視において略矩形状の巻鉄心本体を備え、
前記巻鉄心本体は、前記方向性電磁鋼板により構成され、長手方向に平面部とコーナー部とが交互に連続し、当該各コーナー部において隣接する２つの平面部のなす角が９０°である前記方向性電磁鋼板が板厚方向に積み重ねられた、側面視において略矩形状の積層構造を有していてもよい。
【００１６】
本開示の巻鉄心の製造方法においては、
前記接合部が２か所以上の巻鉄心は、前記各コーナー部が、方向性電磁鋼板の側面視において、曲線状の形状を有する屈曲部を１つ以上有しており、且つ、一つのコーナー部に存在する屈曲部それぞれの曲げ角度の合計が９０°であってもよい。
【発明の効果】
【００１７】
本開示によれば、鉄損が同一、且つ、Ｂ８値が異なる一群の方向性電磁鋼板の中から相対的にＢ８値の低い方向性電磁鋼板を選別して得た方向性電磁鋼板を、接合部が２か所未満の巻鉄心の材料として用いることで、選別しない場合に比べて、当該一群の方向性電磁鋼板を用いて、より低鉄損な巻鉄心群を製造することができる。
【図面の簡単な説明】
【００１８】
【図１】図１は、巻鉄心の一実施形態を模式的に示す斜視図である。
【図２】図２は、図１の実施形態に示される巻鉄心の側面図である。
【図３】図３は、巻鉄心の別の一実施形態を模式的に示す側面図である。
【図４】図４は、巻鉄心の別の一実施形態を模式的に示す側面図である。
【図５】図５は、図２の実施形態におけるコーナー部付近を拡大した側面図である。
【図６】図６は、図３の実施形態におけるコーナー部付近の拡大した側面図である。
【図７】図７は、図４の実施形態におけるコーナー部付近の拡大した側面図である。
【図８】図８は、方向性電磁鋼板の一例を模式的に示す側面図である。
【図９】図９は、方向性電磁鋼板の別の一例を模式的に示す側面図である。
【図１０】図１０は、方向性電磁鋼板の屈曲部の一例を模式的に示す側面図である。
【図１１】図１１は、巻鉄心の製造方法における曲げ加工方法の一例を示す模式図である。
【図１２】図１２は、参考実験例で用いた巻鉄心の寸法を示す模式図である。
【発明を実施するための形態】
【００１９】
１．方向性電磁鋼板の選別方法
本開示の方向性電磁鋼板の選別方法は、
巻鉄心の材料として使用する、一群の方向性電磁鋼板の選別方法であって、
鉄損が同一、且つ、磁場の強さＨが８００Ａ／ｍの時の磁束密度Ｂ８値が異なる前記一群の方向性電磁鋼板を準備する工程と、
前記一群の方向性電磁鋼板について、エプスタイン試験により前記Ｂ８値を測定する工程と、
前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程と、
を有することを特徴とする。
【００２０】
本開示において用いる、形状や幾何学的条件並びにそれらの程度を特定する、例えば、「平行」、「垂直」、「同一」、「直角」等の用語や長さや角度の値等については、厳密な意味に縛られることなく、同様の機能を期待し得る程度の範囲を含めて解釈することとする。
本開示の巻鉄心において、１周回中に接合部を１か所有し且つ屈曲部を有さない巻鉄心をトランココアと称し、１周回中に接合部を１か所有し且つ屈曲部を有する巻鉄心をユニコアと称し、１周回中に接合部を２か所有し且つ屈曲部を有する巻鉄心をデュオコアと称する場合がある。
【００２１】
巻鉄心は、フープをせん断してドーナツ状に巻き取った後、コーナー部をプレスし、矩形に成形し焼鈍を行い、歪取と形状保持を行うことによって製造される。
そして、鋼板の突合せ部分となる接合部が形成される。
突合せ部分での磁気抵抗の上昇による鉄損劣化を抑えるため、この突合せはステップ状に配置されている。
理想的にはこの突合せのギャップ長を０にすることが望ましいが、せん断で鋼板長に誤差が生じ、鋼板板厚の偏差によって鉄心周長が設計値よりも長くなる場合は、ギャップ長は鉄心巻厚の外側ほど拡大してしまう。このギャップ長の存在により巻鉄心の鉄損が劣化する問題がある。特に接合部を２か所以上有する巻鉄心ではこのギャップ長による鉄損劣化が顕著であるという問題がある。
【００２２】
一方、鉄損が同一である一群の方向性電磁鋼板であっても、各方向性電磁鋼板の方位集積度（Ｂ８値）が異なるという現状がある。
本研究者らは、（Ａ）トランココア、（Ｂ）ユニコア、（Ｃ）デュオコアの３種類の巻鉄心の各形式に同一鉄損値でＢ８値の異なる材料を使用し、ビルディングファクタ（ＢＦ）を評価した。
その結果、１周回中に少なくとも２か所以上の接合部を有する巻鉄心（デュオコア等）を製造する場合、鉄損が同一であれば、相対的にＢ８値が高い方向性電磁鋼板を用いた方が、相対的にＢ８値が低い方向性電磁鋼板を用いるよりもギャップ長による鉄損劣化の抑制効果が大きいことがわかった（参考実験例参照）。
一方、本研究者らの研究により、１周回中に２か所未満の接合部を有する巻鉄心（例えば、ユニコア、トランココア等）を製造する場合、上記接合部を２か所以上有する巻鉄心と比較して、Ｂ８値の変動による鉄損劣化の影響が少ないことがわかった。
この原因について詳細は不明であるが、接合部での磁束挙動から磁束はギャップを避けて、ギャップ上下の鋼板に移動する（磁束の渡り）ため、面内渦電流損が増加すると考えられていたが、研究者らはこの磁束の渡りによる鉄損増加が方向性電磁鋼板のＢ８値に影響することを突き止めた。Ｂ８値が高いことにより透磁率が高く、磁気抵抗が小さいため、磁束の渡りがスムーズになり、面内渦電流損の増加が穏やかになったと推定される。さらに、接合部の数が増えることで磁束の渡る領域が増える。この領域が増えることで、上記の効果も大きくなったと推定される。
そのため、本開示によれば、Ｂ８値の変動による鉄損劣化の影響が大きい１周回中に少なくとも２か所以上の接合部を有する巻鉄心を製造する場合、鉄損が同一、且つ、Ｂ８値が異なる一群の方向性電磁鋼板の中から相対的にＢ８値の高い方向性電磁鋼板を選別して得た方向性電磁鋼板を、当該接合部が２か所以上ある巻鉄心の材料として用いることで、低鉄損な巻鉄心群を製造することができる。
また、本開示によれば、上記に加え、鉄損が同一、且つ、Ｂ８値が異なる一群の方向性電磁鋼板の中から相対的にＢ８値の低い方向性電磁鋼板を選別して得た方向性電磁鋼板を、１周回中に少なくとも２か所以上の接合部を有する巻鉄心と比較してＢ８値の変動による鉄損劣化の影響が少ない当該接合部が２か所未満の巻鉄心の材料として用いることで、当該一群の方向性電磁鋼板から低鉄損な巻鉄心群を製造することができる。
【００２３】
本開示の方向性電磁鋼板の選別方法は、少なくとも（１）準備工程、（２）測定工程、（３）選別工程を有する。
以下、各工程について順に説明する。
【００２４】
（１）準備工程
準備工程は、鉄損が同一、且つ、磁場の強さＨが８００Ａ／ｍの時の磁束密度Ｂ８値が異なる前記一群の方向性電磁鋼板を準備する工程である。
本明細書においてＢ８値とは、エプスタイン試験により得られる磁場の強さＨが８００Ａ／ｍの時の磁束密度であり、方位集積度の指標となる値である。
【００２５】
一般的に方向性電磁鋼板とは、鋼板中の結晶粒の方位が｛１１０｝＜００１＞方位に高度に集積され、磁化容易軸が長手方向に揃った鋼板をいう。磁化容易軸が長手方向に揃っているため、鉄損の少なく磁性に優れるという特性を有する電磁鋼板をいう。
本開示において方向性電磁鋼板は、少なくとも、母鋼板を有し、必要に応じ、母鋼板表面に被膜を有していてもよい。被膜としては、例えば、グラス被膜などが挙げられる。以下、方向性電磁鋼板の各構成について説明する。
【００２６】
母鋼板は、当該母鋼板中の結晶粒の方位が｛１１０｝＜００１＞方位に高度に集積された鋼板であり、圧延方向に優れた磁気特性を有するものである。
本開示において母鋼板は、特に限定されず、方向性電磁鋼板として公知のものの中から、適宜選択して用いることができる。以下、好ましい母鋼板の一例について説明するが、本開示において母鋼板は以下のものに限定されるものではない。
【００２７】
母鋼板の化学組成は、特に限定されるものではないが、例えば、質量％で、Ｓｉ：０．８％〜７％、Ｃ：０％よりも高く０．０８５％以下、酸可溶性Ａｌ：０％〜０．０６５％、Ｎ：０％〜０．０１２％、Ｍｎ：０％〜１％、Ｃｒ：０％〜０．３％、Ｃｕ：０％〜０．４％、Ｐ：０％〜０．５％、Ｓｎ：０％〜０．３％、Ｓｂ：０％〜０．３％、Ｎｉ：０％〜１％、Ｓ：０％〜０．０１５％、Ｓｅ：０％〜０．０１５％を含有し、残部がＦｅおよび不純物からなることが好ましい。上記母鋼板の化学組成は、結晶方位を｛１１０｝＜００１＞方位に集積させたＧｏｓｓ集合組織に制御するために好ましい化学成分である。母鋼板中の元素のうち、ＳｉおよびＣが基本元素であり、酸可溶性Ａｌ、Ｎ、Ｍｎ、Ｃｒ、Ｃｕ、Ｐ、Ｓｎ、Ｓｂ、Ｎｉ、Ｓ、およびＳｅが選択元素である。これらの選択元素は、その目的に応じて含有させればよいので下限値を制限する必要がなく、実質的に含有していなくてもよい。また、これらの選択元素が不可避的不純物として含有されても、本開示の効果は損なわれない。母鋼板は、基本元素および選択元素の残部がＦｅおよび不可避的不純物からなる。
なお、本開示において、「不可避的不純物」とは、母鋼板を工業的に製造する際に、原料としての鉱石、スクラップ、または製造環境等から不可避的に混入する元素を意味する。
また、方向性電磁鋼板では二次再結晶時に純化焼鈍を経ることが一般的である。純化焼鈍においてはインヒビター形成元素の系外への排出が起きる。特にＮ、Ｓについては濃度の低下が顕著で、５０ｐｐｍ以下になる。通常の純化焼鈍条件であれば、９ｐｐｍ以下、さらには６ｐｐｍ以下、純化焼鈍を十分に行えば、一般的な分析では検出できない程度（１ｐｐｍ以下）にまで達する。
母鋼板の化学成分は、鋼の一般的な分析方法によって測定すればよい。例えば、母鋼板の化学成分は、ＩＣＰ−ＡＥＳ（Ｉｎｄｕｃｔｉｖｅｌｙ  Ｃｏｕｐｌｅｄ  Ｐｌａｓｍａ−Ａｔｏｍｉｃ  Ｅｍｉｓｓｉｏｎ  Ｓｐｅｃｔｒｏｍｅｔｒｙ）を用いて測定すればよい。具体的には、例えば、被膜除去後の母鋼板の中央の位置から３５ｍｍ角の試験片を取得し、島津製作所製ＩＣＰＳ−８１００等（測定装置）により、予め作成した検量線に基づいた条件で測定することにより特定できる。なお、ＣおよびＳは燃焼−赤外線吸収法を用い、Ｎは不活性ガス融解−熱伝導度法を用いて測定すればよい。
なお、母鋼板の化学成分は、方向性電磁鋼板から後述の方法により後述のグラス被膜およびリンを含有する被膜等を除去した鋼板を母鋼板としてその成分を分析した成分である。
【００２８】
母鋼板の製造方法は、特に限定されず、従来公知の方向性電磁鋼板の製造方法を適宜選択することができる。製造方法の好ましい具体例としては、例えば、Ｃを０．０４〜０．１質量％とし、その他は上記母鋼板の化学組成を有するスラブを１０００℃以上に加熱して熱間圧延を行った後、必要に応じて熱延板焼鈍を行い、次いで、１回又は中間焼鈍を挟む２回以上の冷延により冷延鋼板とし、当該冷延鋼板を、例えば湿水素−不活性ガス雰囲気中で７００〜９００℃に加熱して脱炭焼鈍し、必要に応じて更に窒化焼鈍し、１０００℃程度で仕上焼鈍する方法などが挙げられる。
本開示において母鋼板の厚みは特に限定されないが、０．１ｍｍ以上０．５ｍｍ以下であることが好ましく、０．１５ｍｍ以上０．４０ｍｍ以下であることがより好ましい。
【００２９】
本開示において方向性電磁鋼板は、本開示の効果を損なわない範囲で表面に被膜を有していてもよい。このような被膜としては、例えば、母鋼板上に形成されるグラス被膜などが挙げられる。グラス被膜としては、例えば、フォルステライト（Ｍｇ２ＳｉＯ４）、スピネル（ＭｇＡｌ２Ｏ４）、及びコーディエライト（Ｍｇ２Ａｌ４Ｓｉ５Ｏ１６）より選択される１種以上の酸化物を有する被膜が挙げられる。
【００３０】
グラス被膜の形成方法は特に限定されず、公知の方法の中から適宜選択することができる。例えば、前記母鋼板の製造方法の具体例において、冷延鋼板にマグネシア（ＭｇＯ）及びアルミナ（Ａｌ２Ｏ３）から選択される１種以上を含有する焼鈍分離剤を塗布した後で、前記仕上焼鈍を行う方法が挙げられる。なお当該焼鈍分離剤は、仕上焼鈍時の鋼板同士のスティッキングを抑制する効果も有している。例えば前記マグネシアを含有する焼鈍分離剤を塗布して仕上焼鈍を行った場合、母鋼板に含まれるシリカと反応して、フォルステライト（Ｍｇ２ＳｉＯ４）を含むグラス被膜が母鋼板表面に形成される。
本開示においてグラス被膜の厚みは特に限定されないが、０．５μｍ以上３μｍ以下であることが好ましい。
【００３１】
本開示において用いられる方向性電磁鋼板の板厚は、特に限定されず、用途等に応じて適宜選択すればよいものであるが、通常０．１５ｍｍ〜０．３５ｍｍの範囲内であり、好ましくは０．１８ｍｍ〜０．２３ｍｍの範囲である。
【００３２】
（２）測定工程
測定工程は、前記一群の方向性電磁鋼板について、エプスタイン試験により前記Ｂ８値を測定する工程である。
方向性電磁鋼板のＢ８値は、従来公知の方法で求めることができ、例えば、ＪＩＳ  Ｃ  ２５５０−１に記載のエプスタイン試験器による電磁鋼帯の磁気特性の測定方法における励磁電流法により求めることができる。
なお、試料の採取については、方向性電磁鋼板の全幅（例えば１０００ｍｍ）から任意の場所のサンプルを採ってもよいし、一定の幅間隔で複数個所のサンプルを採ってもよい。
測定のタイミングは、特に限定されず、巻鉄心の生産量等に応じて、適宜設定することができる。また、同じ鉄損を有する方向性電磁鋼板であっても、Ｂ８値が異なる（例えば、１．８９〜１．９３Ｔ程度の幅を持っている）という前提の上、測定してもよい。
【００３３】
（３）選別工程
選別工程は、前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程である。
さらに、前記一群の方向性電磁鋼板のうち、測定して得た前記一群の方向性電磁鋼板の前記Ｂ８値の範囲の中から設定される所定値未満の前記Ｂ８値を有する方向性電磁鋼板を、前記接合部が２か所未満の巻鉄心の材料として選別してもよい。
なお、本開示において、所定値は、測定されるＢ８値に基づいて適宜設定することができる。
また、本開示において、１周回中に少なくとも２か所以上の接合部を有する巻鉄心は、通常、更に１周回中に少なくとも１か所以上の屈曲部を有していてもよい。
一方、本開示において、１周回中に接合部が２か所未満の巻鉄心は、屈曲部を有していても有していなくてもよく、接合部は無くてもよく、１か所有していてもよい。
素材の選別については、Ｂ８値の高い素材から順番に接合部数の多い巻鉄心に使用していけばよく、「Ｂ８値の範囲の中から設定される所定値」は、前記１周回中に少なくとも２か所以上の接合部を有する巻鉄心の素材の量、前記接合部が２か所未満の巻鉄心の素材の量等に基づいて決定される。従って、Ｂ８の数値に関しては固定値とはしていない。尚、接合部が同じ数の巻鉄心であれば、素材を選別する必要はない。
【００３４】
選別した材料から製造される巻鉄心は、側面視において略矩形状の巻鉄心本体を備え、前記巻鉄心本体は、前記方向性電磁鋼板により構成され、長手方向に平面部とコーナー部とが交互に連続し、当該各コーナー部において隣接する２つの平面部のなす角が９０°である前記方向性電磁鋼板が板厚方向に積み重ねられた、側面視において略矩形状の積層構造を有していてもよい。
また、選別した材料から製造される前記接合部が２か所以上の巻鉄心は、前記各コーナー部が、方向性電磁鋼板の側面視において、曲線状の形状を有する屈曲部を１つ以上有しており、且つ、一つのコーナー部に存在する屈曲部それぞれの曲げ角度の合計が９０°であってもよい。
巻鉄心の形状、製造方法については後述するため、ここでの記載は省略する。
【００３５】
図８は１周回中に接合部が１か所且つ屈曲部を有する巻鉄心の材料として用いられる方向性電磁鋼板の一例を模式的に示す図である。
図９は１周回中に接合部が２か所且つ屈曲部を有する巻鉄心の材料として用いられる方向性電磁鋼板の一例を模式的に示す図である。
図８及び図９の例に示されるように１周回中に接合部が１か所以上且つ屈曲部を有する巻鉄心に用いることができる方向性電磁鋼板は、折り曲げ加工されたものであって、前記巻鉄心のコーナー部に対応する１つまたは２つ以上の屈曲部５から構成されるコーナー部３と、平面部４を有し、１周回中に１つ以上の接合部６を介して略矩形の環を形成してもよい。
図８の例に示されるように、１つの接合部６を介して１枚の方向性電磁鋼板が巻鉄心本体の１層分を構成するものであってもよく、図９の例に示されるように１枚の方向性電磁鋼板が巻鉄心の約半周分を構成し、２つの接合部６を介して２枚の方向性電磁鋼板が巻鉄心本体の１層分を構成するものであってもよい。
また巻鉄心の材料として用いられる方向性電磁鋼板の別の例としては、２枚の方向性電磁鋼板が巻鉄心本体の１層分を構成する場合、略矩形の３辺に相当する曲げ加工体と、残りの１辺に相当する真直ぐな（側面視が直線状の）鋼板を組み合わせて略矩形状の環を形成してもよい。このように、２枚以上の方向性電磁鋼板が巻鉄心本体の１層分を構成する場合、鋼板の曲げ加工体と、真直ぐな（側面視が直線状の）鋼板とを組み合わせてもよい。
さらに接合部が無い巻鉄心の材料として用いられる方向性電磁鋼板の例としては、巻鉄心本体の２層分以上の長さを有する方向性電磁鋼板を折り曲げ加工して、略矩形状の環が２周回以上連続する曲げ加工体を形成し、これを板厚方向に積み重ねてもよい。
いずれの場合も巻鉄心製造時に隣接する２層間に隙間が生じないようにするため、隣接する２層の方向性電磁鋼板において、内側に配置される方向性電磁鋼板の平面部４の外周長と、外側に配置される方向性電磁鋼板の平面部４の内周長が等しくなるように鋼板の長さ及び屈曲部の位置を調整する。
【００３６】
２．巻鉄心の製造方法
本開示の巻鉄心の製造方法は、
鉄損が同一、且つ、磁場の強さＨが８００Ａ／ｍの時の磁束密度Ｂ８値が異なる一群の方向性電磁鋼板を準備する工程と、
前記一群の方向性電磁鋼板について、エプスタイン試験により前記Ｂ８値を測定する工程と、
前記一群の方向性電磁鋼板のうち、測定して得た前記一群の方向性電磁鋼板の前記Ｂ８値の範囲の中から設定される所定値以上の前記Ｂ８値を有する方向性電磁鋼板を、１周回中に少なくとも２か所以上の接合部を有する巻鉄心の材料として選別する工程と、
選別した前記方向性電磁鋼板を用いて前記巻鉄心を作成する工程と、
を有することを特徴とする。
【００３７】
本開示の巻鉄心の製造方法は、少なくとも（１）準備工程、（２）測定工程、（３）選別工程、（４）巻鉄心作成工程を有する。
（１）〜（３）の工程は、上述した「１．方向性電磁鋼板の選別方法」と同様なのでここでの記載は省略する。
【００３８】
（４）巻鉄心作成工程
巻鉄心作成工程は、選別した前記方向性電磁鋼板を用いて前記巻鉄心を作成する工程である。
【００３９】
まず、本開示の巻鉄心の形状について説明する。図１は、巻鉄心の一実施形態を模式的に示す斜視図である。図２は、図１の実施形態に示される巻鉄心の側面図である。また、図３及び図４は、巻鉄心の別の一実施形態を模式的に示す側面図である。
なお、本開示において側面視とは、巻鉄心を構成する長尺状の方向性電磁鋼板の幅方向（図１におけるＹ軸方向）に視ることをいい、側面図とは側面視により視認される形状を表した図（図１のＹ軸方向の図）である。
【００４０】
本開示の巻鉄心は、側面視において略矩形状の巻鉄心本体を備える。当該巻鉄心本体は、方向性電磁鋼板が、板厚方向に積み重ねられ、側面視において略矩形状の積層構造を有する。当該巻鉄心本体を、そのまま巻鉄心として使用してもよいし、必要に応じて巻鉄心を固定するために、結束バンド等、公知の締付具等を備えていてもよい。
【００４１】
本開示において、巻鉄心本体の鉄心長に特に制限はないが、優れた低鉄損特性を示すことから１．５ｍ以上であることが好ましく、１．７ｍ以上であるとより好ましい。なお、本開示において、巻鉄心本体の鉄心長とは、側面視による巻鉄心本体の積層方向の中心点における周長をいう。
【００４２】
本開示の製造方法で得られる巻鉄心は、鉄損が低減されているため、トランス、リアクトル、ノイズフィルター等の磁心など、従来公知のいずれの用途にも好適に用いることができる。
【００４３】
図１及び２に示すように、巻鉄心本体１０は、長手方向に平面部４とコーナー部３とが交互に連続し、当該各コーナー部３において隣接する２つの平面部４のなす角が９０°である方向性電磁鋼板１が、板厚方向に積み重ねられた部分を含み、側面視において略矩形状の積層構造２を有する。
方向性電磁鋼板１の各コーナー部３は、側面視において、曲線状の形状を有する屈曲部５を２つ以上有しており、且つ、一つのコーナー部に存在する屈曲部それぞれの曲げ角度の合計が９０°となっている。
図２の実施形態は１つのコーナー部３中に２つの屈曲部５を有する場合である。
図３の実施形態は１つのコーナー部３中に３つの屈曲部５を有する場合である。
また、図４の実施形態は、１つのコーナー部３が１つの屈曲部５により形成されている場合である。
【００４４】
図５〜図７は、それぞれ図２〜図４の実施形態におけるコーナー部付近を拡大した側面図である。
図５及び図６の例に示されるように、１つのコーナー部に２つ以上の屈曲部を有する場合には、方向性電磁鋼板の第１の平面部を表す直線状の部分に第１の屈曲部（曲線部分）が連続し、その先には直線部分、第２の屈曲部（曲線部分）、別の直線部分というように、屈曲部（曲線部分）と直線部分が交互に連続し、当該コーナー部における最後の屈曲部（曲線部分）に至り、その先に、コーナー部を介して前記第１の平面部に隣接する、方向性電磁鋼板の第２の平面部が連続してなる形状を有する。
【００４５】
図５の例では線分Ａ−Ａ’から線分Ｂ−Ｂ’までの領域をコーナー部３とする。点Ａは、巻鉄心１０の最も内側に配置された方向性電磁鋼板１ａの屈曲部５ａにおける平面部４ａ側の端点であり、点Ａ’は、点Ａを通り方向性電磁鋼板１ａの板面に垂直方向の直線と、巻鉄心本体１０の最も外側の面との交点である。同様に点Ｂは、巻鉄心１０の最も内側に配置された方向性電磁鋼板１ａの屈曲部５ｂにおける平面部４ｂ側の端点であり、点Ｂ’は、点Ｂを通り方向性電磁鋼板１ａの板面に垂直方向の直線と、巻鉄心本体１０の最も外側の面との交点である。図５において当該コーナー部３を介して隣接する２つの平面部４ａと４ｂのなす角はθであり、本開示において当該θは９０°である。屈曲部の曲げ角度φについては後述するが、図５においてφ１＋φ２は９０°となる。
【００４６】
次に、コーナー部３中に屈曲部５を３つ以上有する例について説明する。図６は、図３の実施形態におけるコーナー部付近の拡大図である。図６においても図５と同様に線分Ａ−Ａ’から線分Ｂ−Ｂ’までの領域をコーナー部３とする。図６において、点Ａは平面部４ａに最も近い屈曲部５ａの平面部４ａ側の端点であり、点Ｂは平面部４ｂに最も近い屈曲部５ｂの平面部４ｂ側の端点である。屈曲部が３つ以上ある場合、各屈曲部間には直線部分が存在する。いずれの平坦部が平面部４を構成するかについては、コーナー部を介して隣接する２つの平面部のなす角θが９０°であることを考慮して決定すればよく、これにより平面部４に隣接する屈曲部５が決定される。なお図６の例では、φ１＋φ２＋φ３が９０°となり、一般にコーナー部内にｎ個の屈曲部を有する場合、φ１＋φ２＋・・・＋φｎは９０°となる。
【００４７】
次に、コーナー部３中の屈曲部５が１つの場合について説明する。図７は、図４の実施形態におけるコーナー部付近の拡大図である。図７においても図５及び図６と同様に線分Ａ−Ａ’から線分Ｂ−Ｂ’までの領域をコーナー部３とする。図７において点Ａは屈曲部５の平面部４ａ側の端点であり、点Ｂは屈曲部５の平面部４ｂ側端点となる。また図７の例では、φ１は９０°である。
【００４８】
本開示においては、前述するコーナー部の角度θが９０°である場合、φは９０°以下であってもよい。加工時の変形による歪み発生を抑制して鉄損を抑える点からは、φは６０°以下であってもよく、４５°以下であってもよい。そのため、本開示で得られる巻鉄心においては１つのコーナー部に２以上の屈曲部を有していてもよい。
１つのコーナー部に２つの屈曲部を有する図５の実施形態では、鉄損低減の点から、例えば、φ１＝６０°且つφ２＝３０°とすることや、φ１＝４５°且つφ２＝４５°等とすることができる。また、１つのコーナー部に３つの屈曲部を有する図６の実施形態では、鉄損低減の点から、例えばφ１＝３０°、φ２＝３０°且つφ３＝３０°等とすることができる。更に、生産効率の点からは折り曲げ角度が等しいことが好ましいため、１つのコーナー部に２つの屈曲部を有する場合には、φ１＝４５°且つφ２＝４５°としてもよい。また、１つのコーナー部に３つの屈曲部を有する図６の実施形態では、鉄損低減の点から、例えばφ１＝３０°、φ２＝３０°且つφ３＝３０°としてもよい。
【００４９】
図１０を参照しながら、屈曲部５について更に詳細に説明する。図１０は、方向性電磁鋼板の屈曲部の一例を模式的に示す図である。屈曲部の曲げ角度とは、方向性電磁鋼板屈曲部において、折り曲げ方向の後方側の直線部と前方側の直線部の間に生じた角度差を意味し、屈曲部において、方向性電磁鋼板の外面を表す線Ｌｂに含まれる曲線部分の両側（点Ｆ及び点Ｇ）それぞれに隣接する直線部分を延長して得られる２つの仮想線Ｌｂ−ｅｌｏｎｇａｔｉｏｎ１、Ｌｂ−ｅｌｏｎｇａｔｉｏｎ２がなす角の補角の角度φとして表される。
各屈曲部の曲げ角度は、９０°以下であり、かつ、一つのコーナー部に存在する全ての屈曲部の曲げ角度の合計は９０°である。
【００５０】
本開示において屈曲部とは、方向性電磁鋼板の側面視において、方向性電磁鋼板の内面を表す線Ｌａ上の点Ｄ及び点Ｅ、並びに、方向性電磁鋼板の外面を表す線Ｌｂ上の点Ｆ及び点Ｇを下記のとおり定義したときに、方向性電磁鋼板の内面を表す線Ｌａ上で点Ｄと点Ｅとで区切られた線、方向性電磁鋼板の外面を表す線Ｌｂ上で点Ｆと点Ｇとで区切られた線、前記点Ｄと前記点Ｅを結ぶ直線、及び、前記点Ｆと前記点Ｇを結ぶ直線により囲まれる領域を示す。
【００５１】
ここで、点Ｄ、点Ｅ、点Ｆ及び点Ｇは次のように定義する。
側面視において、方向性電磁鋼板の内面を表す線Ｌａに含まれる曲線部分における曲率半径の中心点Ａと、方向性電磁鋼板の外面を表す線Ｌｂに含まれる曲線部分の両側それぞれに隣接する直線部分を延長して得られる前記２つの仮想線Ｌｂ−ｅｌｏｎｇａｔｉｏｎ１、Ｌｂ−ｅｌｏｎｇａｔｉｏｎ２の交点Ｂとを結んだ直線ＡＢが、方向性電磁鋼板の内面を表す線と交わる点を原点Ｃとし、
当該原点Ｃから方向性電磁鋼板の内面を表す線Ｌａに沿って、一方の方向に下記式（１）で表される距離ｍだけ離れた点を点Ｄとし、
当該原点Ｃから方向性電磁鋼板の内面を表す線Ｌａに沿って、他の方向に前記距離ｍだけ離れた点を点Ｅとし、
方向性電磁鋼板の外面を表す線Ｌｂに含まれる前記直線部分のうち、前記点Ｄに対向する直線部分と、当該点Ｄに対向する直線部分に対し垂直に引かれ且つ前記点Ｄを通過する仮想線との交点を点Ｇとし、
方向性電磁鋼板の外面を表す線Ｌｂに含まれる前記直線部分のうち、前記点Ｅに対向する直線部分と、当該点Ｅに対向する直線部分に対し垂直に引かれ且つ前記点Ｅを通過する仮想線との交点を点Ｆとする。
式（１）：  ｍ  ＝  ｒ  ×（π／４）
（式（１）中、ｍは点Ｃからの距離を表し、ｒは中心点Ａから点Ｃまでの距離（曲率半径）を表す）。
【００５２】
すなわち、ｒは点Ｃ付近の曲線を円弧とみなした場合の曲率半径を示すものであり、本開示では、屈曲部の側面視における内面側曲率半径を表す。曲率半径ｒが小さいほど屈曲部の曲線部分の曲がりは急であり、曲率半径ｒが大きいほど屈曲部の曲線部分の曲がりは緩やかになる。
【００５３】
巻鉄心は、従来公知の方法で作成することができる。以下巻鉄心の作成方法の一例について、接合部を１か所以上且つ屈曲部を１か所以上有する巻鉄心の場合について説明する。
まず、選別工程で選別した方向性電磁鋼板を準備する。
次に、必要に応じて上記方向性電磁鋼板を所望の長さに切断した後、前記方向性電磁鋼板上に予め割り当てた各コーナー部形成領域に少なくとも一か所を曲げ加工することにより、前記方向性電磁鋼板を、平面部とコーナー部とが交互に連続し、当該各コーナー部において隣接する２つの平面部のなす角が９０°である曲げ加工体を成形する。
曲げ加工の方法について図を参照して説明する。図１１は、巻鉄心の製造方法における曲げ加工方法の一例を示す模式図である。
加工機の構成は特に限定されるものではないが、例えば、図１１に示されるように、通常、プレス加工のためのダイスとパンチとを有し、更に方向性電磁鋼板を固定するガイドなどを有している。方向性電磁鋼板は、搬送方向に搬送され、予め設定された位置で固定される。次いでパンチで予め設定されたクリアランス（ｃ）およびストローク（ｓ）を調整することにより、折れ曲がり角度φの屈曲部を有する曲げ加工体が得られる。
屈曲部の曲率半径ｒは、通常、ダイスとパンチ間の距離やダイスとパンチの形状を変更することにより調整することができる。
【００５４】
通常、巻鉄心の作成工程においては、上記曲げ加工後に屈曲部の歪みを焼鈍により除去する。
次いで、前記曲げ加工体である方向性電磁鋼板を、コーナー部同士を位置合わせし、板厚方向に重ねあわせて積層し、側面視において略矩形状の積層体を形成することにより、巻鉄心本体を得ることができる。得られた巻鉄心本体は、そのまま巻鉄心として使用してもよいが、更に必要に応じて結束バンド等、公知の締付具等を用いて固定して巻鉄心としてもよい。
【００５５】
本開示は、上記実施形態に限定されるものではない。上記実施形態は例示であり、本開示の特許請求の範囲に記載された技術的思想と実質的に同一な構成を有し、同様な作用効果を奏するものは、いかなるものであっても本開示の技術的範囲に包含される。
【実施例】
【００５６】
（参考実験例１〜４８）
同一の鉄損（Ｗ１７／５０＝０．８３Ｗ／ｋｇ）を有する一群の方向性電磁鋼板（素材：２３ＺＨ）を準備し、各方向性電磁鋼板に対してエプスタイン試験によりＢ８値を測定した。
結果を表１に示す。
なお、方向性電磁鋼板は、母鋼板上にフォルステライト（Ｍｇ２ＳｉＯ４）を含むグラス被膜を有するものを準備した。また、Ｗ１７／５０は、１．７Ｔ／５０Ｈｚのときの鉄損値である。
次に一群の方向性電磁鋼板の中からＢ８値が異なる方向性電磁鋼板（表１において、符号：Ａ、Ｂ、Ｃ、Ｄ）を選別し、各方向性電磁鋼板を用いて巻鉄心を製造し、電気巻線を設置した。
巻鉄心は、接合部を１か所有し且つ屈曲部を有さない巻鉄心（トランココア）と、接合部を１か所有し且つ屈曲部を有する巻鉄心（ユニコア）と、接合部を２か所有し且つ屈曲部を有する巻鉄心（デュオコア）の３種類を製造した。
なお、トランココアは、方向性電磁鋼板を１５０℃に調整しながら曲げ加工を行った後、当該方向性電磁鋼板を積層することで製造した。また、ユニコア及びデュオコアは、方向性電磁鋼板を１５０℃に調整しながら曲げ加工を行い、屈曲角φが４５°の屈曲部を有する方向性電磁鋼板を得た後、当該方向性電磁鋼板を積層することで製造した。
また、３種の巻鉄心は、接合部の空隙長を０．５、１、２、３ｍｍに変化させたものをそれぞれ製造した。
【００５７】
［評価］
参考実験例１〜４８の巻鉄心（平均鉄心長：０．７０４ｍ、鉄心質量：約３７ｋｇ、容量：２５ＫＶＡ、寸法は図１２に記載）について、それぞれＪＩＳ  Ｃ  ２５５０−１に記載のエプスタイン試験器による電磁鋼帯の磁気特性の測定方法における励磁電流法を、周波数５０Ｈｚ、磁束密度１．７Ｔの条件で測定を行い、巻鉄心の鉄損値ＷＡを求めた。
そして、巻鉄心の鉄損値ＷＡを、素材として用いた方向性電磁鋼板の鉄損値（Ｗ１７／５０＝０．７５Ｗ／ｋｇ）で除することによりビルディングファクタ（ＢＦ）を求めた。
本開示においてはＢＦが小さいほど鉄損が低減された巻鉄心であると評価できる。
そして、３種の巻鉄心の接合部の空隙長を巻線は挿入しない状態で０．５、１、２、３ｍｍに変化させたときの接合部空隙長と鉄損劣化の関係を評価した。
結果を表２に示す。なお、接合部空隙長は巻鉄心１体の接合部を全て測定し、全平均したものを数値で記載した。
【００５８】
【表１】
2018157142.tif 000003
【００５９】
【表２】
2018157142.tif 000004
【００６０】
表２に示すように、ユニコア、トランココアでは、素材のＢ８値の大小による巻鉄心の鉄損値の変動はほとんど見られず、接合部空隙長の差による鉄損値の変動もほとんど見られない。
一方、デュオコアでは、接合部空隙長の差による巻鉄心の鉄損値の変動は、ほとんど見られないが、素材のＢ８値が高いものを用いた巻鉄心の方が、鉄損値が低くなることがわかる。
【００６１】
【表３】
2018157142.tif 000005
【００６２】
【表４】
2018157142.tif 000006
【００６３】
【表５】
2018157142.tif 000007
【００６４】
【表６】
2018157142.tif 000008
【００６５】
表３及び表４、並びに、表５及び表６に示すとおり、素材Ａ〜Ｄの中で、表４及び表６に示す相対的にＢ８値の高い素材Ｃ〜Ｄをデュオコアの材料に用い、相対的にＢ８値の低い素材Ａ〜Ｂをユニコアの材料に用いた方が、表３及び表５に示す素材Ａ〜Ｂをデュオコアの材料に用い、素材Ｃ〜Ｄをユニコアの材料に用いた場合よりも、ＢＦの平均値が低くなり、より低鉄損な巻鉄心が得られることがわかる。これは、表３〜６において、ユニコアをトランココアに変えた場合であっても同様であることが表２からわかる。
したがって、本開示によれば、鉄損が同一、且つ、Ｂ８値が異なる一群の方向性電磁鋼板の中から相対的にＢ８値の高い方向性電磁鋼板を選別して得た方向性電磁鋼板を、接合部が２か所以上ある巻鉄心の材料として用いることで、低鉄損な当該巻鉄心を効率よく製造することができることがわかる。
また、本開示によれば、上記に加え、鉄損が同一、且つ、Ｂ８値が異なる一群の方向性電磁鋼板の中から相対的にＢ８値の低い方向性電磁鋼板を選別して得た方向性電磁鋼板を、接合部が２か所未満の巻鉄心の材料として用いることで、当該一群の方向性電磁鋼板を効率的に余すことなく低鉄損な巻鉄心の製造に用いることができることがわかる。
【符号の説明】
【００６６】
１、１ａ  方向性電磁鋼板
２  積層体
３  コーナー部
４、４ａ、４ｂ  平面部
５、５ａ、５ｂ、５ｃ  屈曲部
６  接合部
１０  巻鉄心本体（巻鉄心）
【図１】
2018157142.tif 000009
【図２】
2018157142.tif 000010
【図３】
2018157142.tif 000011
【図４】
2018157142.tif 000012
【図５】
2018157142.tif 000013
【図６】
2018157142.tif 000014
【図７】
2018157142.tif 000015
【図８】
2018157142.tif 000016
【図９】
2018157142.tif 000017
【図１０】
2018157142.tif 000018
【図１１】
2018157142.tif 000019
【図１２】
2018157142.tif 000020